(57)【要約】【課題】ヒップアップ効果と体型補正とを同時に実現する下半身整形用肌着を得る。【解決手段】伸縮性ガードルの後身頃に背中心線より脇巾方向に幅を有する略長方形の補形部片を、ガードル上端から臀部上縁に至る腰部上方に設け、ガードル腰部下方にガードル脇線より臀部凸部を囲む帯状伸縮性部材を設けた。該略長方形の補形部片は、伸縮性の大きい部材、又は非伸縮性の部材で構成し、ウエスト上方まで延びる形状を有して腰部を支える。【選択図】図２
0003150357.tif 000002
【実用新案登録請求の範囲】
【請求項１】
前身頃と後身頃及びクロッチ布を有するガードルにおいて、後身頃に背中心線より脇巾方向に幅を有する略長方形の補形部片を、ガードル上端から臀部上縁に至る腰部上方に設け、ガードル脇線より臀部凸部を囲む帯状伸縮性部材をガードル腰部下方に設けてなるガードル。
【請求項２】
ガードル前身頃、後身頃が伸縮性素材によって形成され、帯状伸縮性部材が前身頃、後身頃と同一の伸縮性素材を添着してなる請求項１に記載のガードル。
【請求項３】
前記略長方形の補形部片が、伸縮性の大きい部材、又は非伸縮性の部材である請求項１又は請求項２に記載のガードル。
【請求項４】
前記略長方形の補形部片が、ウエスト上方まで延び、長方形の補形部片の左右両端上方に可撓性線状部材を接合してなる請求項１乃至請求項３のいずれかに記載のガードル。
【考案の詳細な説明】
【技術分野】
【０００１】
本考案ガードルは、ヒップアップ効果と姿勢を正す体型補正とを同時に実現する下半身整形用肌着に関する。
【背景技術】
【０００２】
ガードルは、通常ウエスト部位から下方の下腹部、即ち、腰部、腹部、臀部、大腿部などの外観を美しく整える目的で使用されている。このようなガードルとして、ヒップアップと体型補正を実現するために、臀部下方に位置する受部に複数本の帯状体を固着し帯状体を臀部下方に位置する受部に固着したガードルが知られているが、このガードルは、外観が平坦でなく上衣に好ましくない影響を及ぼすものである（特許文献１）。一方、ガードルの前身頃及び後身頃に複数個の締め付け布を縫着し、前身頃中央のファスナーによって着用するガードルも開示されている（特許文献２）。これらのガードルは、構造が複雑であり、着用感、外観においても問題がある。また、パンティガードルとして臀部を囲む切欠き部形成したベルトを、後腰から脇部を越えて前身頃中央で掛合具によって掛け止めするガードルも提案されている（特許文献３）。
【０００３】
これらのガードルは、ガードルの着用にかなりの手間を有し、着用時に、特に薄手の衣類を着用した際には外観を損なう恐れがあり、日常、窮屈感なしに着用することはできないものである。更に、従来のガードルは、ヒップアップ効果や、腹部を押さえる効果は考慮しているが、ヒップアップ効果に加えて、更に腰のサポートと姿勢の矯正効果を有するガードルは得られていない。
【先行技術文献】
【特許文献】
【０００４】
【特許文献１】特開平１０−８３０３号公報
【特許文献２】特開平９−１９５１０５号公報
【特許文献３】実用新案登録公報３０７６９１０号公報
【考案の概要】
【考案が解決しようとする課題】
【０００５】
本考案は、ガードル等の下半身用肌着において、ヒップアップ効果を実現し、同時に後腰背部を押さえる構造とすることで、ガードル着用者の姿勢を矯正し、美しい体型を実現することを目的とする。しかも、製品構造を簡単にして着用感が好ましくフラットな表面を有するガードルとすることで、薄い外衣の下に着用しても、衣服表面に影響することがないガードルを得る。
【課題を解決するための手段】
【０００６】
本考案のガードルは、前身頃と後身頃及びクロッチ布を有するガードルにおいて、ガードル前身頃、後身頃は伸縮性素材によって形成され、後身頃に背中心線より脇巾方向に幅を有する略長方形の補形部片を、ガードル上端から臀部上縁に至る腰部上方に設け、ガードル腰部下方にガードル脇線より臀部凸部を囲む帯状伸縮性部材を設けた。帯状伸縮性部材は前身頃、後身頃と同一の伸縮性素材を添着して形成することが出来る。該略長方形の補形部片は、伸縮性の大きい素材、又は非伸縮性の素材で形成されることが好ましい。また、略長方形の補形部片が、ウエスト上方まで延び、長方形の補形部片の左右両端上部に可撓性棒状部材を設けることもできる。
【考案の効果】
【０００７】
本考案のガードルは、後身頃に、腰骨下方において両脇部から臀部凸部を囲むように帯状の伸縮性部材を配置し、後腰上方に背中心線より脇線方向に巾を有する略長方形の伸縮性の大きい部片を配置し、これらの部材及び部片をボンディング、縫着等によって伸縮性素材によって形成された身頃地に重ねているので、ガードル全体が薄手に形成され、特に硬い部材を使用していないので心地よい着用感が得られ、衣服外観に影響を及ぼすことがない。そして、該帯状の伸縮性部材を配置したことにより、ヒップアップ効果が得られ、略長方形の伸縮性の大きい部片は、背部を引き締めることにより姿勢を矯正する効果を有する。したがって、本考案のガードルは、ヒップアップ効果と姿勢を正す体型補正とを同時に実現することが出来る。
【図面の簡単な説明】
【０００８】
【図１】図１は、本考案のガードルの正面図である。
【図２】図２は、図１に示した本考案のガードルの背面図である。
【考案を実施するための形態】
【０００９】
本考案のガードルは、前身頃１、後身頃２、前身頃１股下と後身頃２股下を結合するクロッチ布３とよりなる。前身頃１及び後身頃２としては伸縮性素材、好ましくは切りっぱなし可能な伸縮性素材を使用する。前身頃１及び後身頃２の上端４，５には、常法によりテープ状ゴム紐等を縫着する。本考案においては、ガードルの後身頃２に特徴を有するので、後身頃２より説明する。図２に示すように、後身頃２の上端５は、ウエスト線より背中中央部に接する背中心線Ｘ−Ｘ部分において、上方に向かう曲線状であることが望ましい。後身頃２には、両脇端縁６，７の腰骨やや下方から臀部上縁に沿って背中心線Ｘ−Ｘに至る部分に切替線８、９を有する。尚、図面においては、本考案は、ショートガードルとして記載しているが、ガードルの長さは自由に変更可能である。
【００１０】
切替線８、９の上方には、背中心線Ｘ−Ｘに対して対称で後身頃上端５に至る中央部分に背補形部片１０を配置する。背補形部片１０は、図２においては後身頃上端５から切替線８、９に至る後身頃２の上部中央に、下方がやや開いた形状に構成されている。しかしながら背補形部片１０はこの形状に限定されるものではなく、同様の補形効果を達成可能な形状のものであれば背補形部片として使用可能である。背補形部片１０には後身頃生地より強い伸縮性を有する部材又は伸縮性のない部材を使用する。この部分は腰を押さえ、姿勢を正すことを目的としているので、背補形部片１０の両端１１，１１の上部には、可撓性の棒状部材（セルボーン）を挿入して縫着することもできる。
【００１１】
切替線８，９の下方には両脇端縁６，７と切替線８，９の接する部分から脇線に沿い、臀部凸部１２、１２を囲むように帯状の伸縮性素材を伸縮性部材１３、１４として配置する。帯状の伸縮部材１３、１４は、後身頃２と同様の伸縮性素材を接着又は縫着することが好ましいが、これに限定されるものではない。伸縮性部材１３、１４を配置することにより、臀部を持ち上げる効果が得られるが、この構造は簡単であり、ヒップ部の丸みに沿うものであるので、衣服の外観に影響することはない。
尚、上記においては、後身頃を切替線８，９で上部と下部に分けて接合し、臀部凸部１２、１２間にも背中心線Ｘ−Ｘ上に切替線１５を設けているが、これらの切替線は設けずに、後身頃２の図面に示した所定の位置に背補形部片１０、帯状の伸縮性部材１３、１４を添着、圧着することも可能である。
【００１２】
前身頃１は、図１に示すようにガードル脇線６，７において、後身頃２の切替線８，９に対応する位置から前身頃中心に向かって、前身頃上端３のカーブ同様のカーブを描いて切替線１６を設け、切替線１６から下方に前身頃１中心に沿ってクロッチ布３に至る切替線１７を設けてガードル前身頃１を立体的に形成している。しかしながら、これらの前身頃構造は、本考案の主要部分ではなく、切替線を設けることは任意である。クロッチ布３は、常法により伸縮性を有し、吸水性を有する素材で二重に形成し、前身頃股下と後身頃股下に結合される。
【００１３】
上記のように構成したガードルは、腰当布が腰を押さえ、臀部凸部の下方に設けた帯状当て布がヒップアップ効果を有して身体に作用するので、ガードルを着用することによってヒップアップが実現し、姿勢が矯正されて、美しい体型を維持することが出来る。
【符号の説明】
【００１４】
１  前身頃
２  後身頃
３  クロッチ布
４  前身頃上端
５  後身頃上端
６  脇端縁
７  脇端縁
８  切替線
９  切替線
１０  背補形片
１１  背補形片両端
１２  臀部凸部
１３  伸縮性部材
１４  伸縮性部材
１５  切替線
１６  切替線
１７  切替線
Ｘ−Ｘ  腰部中央線 
【図１】
0003150357.tif 000003
【図２】
0003150357.tif 000004